(57)【特許請求の範囲】
【請求項１】
ビデオテープや書籍などの陳列物を陳列する為の陳列装置であって、左右一対の左支持体及び右支持体と、天井若しくは床に付設され前記左支持体及び右支持体間に配設される補強体とで構成される枠体が、天井と床との間に設けられ、この枠体の左支持体及び右支持体の正面及び背面には上下方向所定長にして上下方向所定間隔で係止孔が並設される取付体が設けられ、また、左支持体及び右支持体には、前記係止孔と係止して前方及び後方へ突出する左右一対の載置体が上下多段に設けられ、この夫々の載置体上には底板と、該底板の左右端部に連設される側板と、底板の背面に連設される背面板とから成る棚体が載置架設され、更に、この棚体の背面板と該棚体の上方に位置する棚体の底板とは当接しないように構成され、更に、少なくとも最下段の棚体の底は陳列物を上方が棚体の後方側に傾斜する状態となるように傾斜せしめられており、且つ、この最下段の棚体の底板の上面にして先端側には該棚体の長さ方向に延設される凹溝が形成されており、この凹溝は傾斜状態に立てかけた陳列物の下部が係止されるように構成されていることを特徴とする陳列装置。
【請求項２】
請求項１記載の陳列装置において、前記左支持体及び右支持体を適宜な木製の部材で構成したことを特徴とする陳列装置。
【請求項３】
請求項１，２のいずれか１項に記載の陳列装置を複数並設して陳列装置列を形成し、この陳列装置列の前後に所定間隔をおいて同様な他の陳列装置列を配設したことを特徴とする陳列空間。
【発明の詳細な説明】
【０００１】
【発明の属する技術分野】
本発明は、陳列装置及び陳列空間に関するものである。
【０００２】
【従来の技術及び発明が解決しようとする課題】
近年、益々ビデオテープや書籍などのレンタルや販売を行う店舗（レンタルビデオ店や書店）が増える中、これらビデオテープや書籍などを店舗内に効率良く陳列できる陳列装置の提案が切望されている。
【０００３】
本出願人は、上述したビデオテープや書籍などを陳列するための陳列装置に着目し、極めて商品価値の高い画期的な陳列装置及び陳列空間を開発した。
【０００４】
【課題を解決するための手段】
添付図面を参照して本発明の要旨を説明する。
【０００５】
ビデオテープや書籍などの陳列物９を陳列する為の陳列装置であって、左右一対の左支持体３及び右支持体４と、天井１若しくは床２に付設され前記左支持体３及び右支持体４間に配設される補強体７とで構成される枠体８が、天井１と床２との間に設けられ、この枠体８の左支持体３及び右支持体４の正面及び背面には上下方向所定長にして上下方向所定間隔で係止孔10ａ，11ａが並設される取付体10，11が設けられ、また、左支持体３及び右支持体４には、前記係止孔10ａ，11ａと係止して前方及び後方へ突出する左右一対の載置体５が上下多段に設けられ、この夫々の載置体５上には底板６ａと、該底板６ａの左右端部に連設される側板６ｂと、底板６ａの背面に連設される背面板６ｃとから成る棚体６が載置架設され、更に、この棚体６の背面板６ｃと該棚体６の上方に位置する棚体６の底板６ａとは当接しないように構成され、更に、少なくとも最下段の棚体６の底は陳列物９を上方が棚体６の後方側に傾斜する状態となるように傾斜せしめられており、且つ、この最下段の棚体６の底板６ａの上面にして先端側には該棚体６の長さ方向に延設される凹溝６ａ’が形成されており、この凹溝６ａ’は傾斜状態に立てかけた陳列物９の下部が係止されるように構成されていることを特徴とする陳列装置に係るものである。
【０００６】
また、請求項１記載の陳列装置において、前記左支持体３及び右支持体４を適宜な木製の部材で構成したことを特徴とする陳列装置に係るものである。
【０００７】
また、請求項１，２のいずれか１項に記載の陳列装置を複数並設して陳列装置列13を形成し、この陳列装置列13の前後に所定間隔をおいて同様な他の陳列装置列13を配設したことを特徴とする陳列空間に係るものである。
【０００８】
【発明の作用及び効果】
本発明に係る陳列装置の形成に際し、天井１と床２との間に左支持体３及び右支持体４を設け、この左支持体３及び右支持体４間に、該左支持体３及び右支持体４の表面にして所定高さ位置に設けられた載置体５を介して棚体６を架設する。
【０００９】
従って、陳列装置を天井１と床２とを利用した構成とすることで、それだけ部品点数が必要最小限で済むことになり、よって、陳列装置の設置作業及び取り外し作業が極めて簡易且つ迅速に行えることになり、しかも、簡易構造故にコスト安にして量産性に秀れ、更に、天井１と床２とを利用する為、十分な強度が得られることになる。
【００１０】
以上のように、本発明は、極めて商品価値の高い画期的なものとなる。
【００１１】
【発明の実施の形態】
図面は本発明の一実施例を図示したものであり、以下に説明する。
【００１２】
符号９は陳列物としてのビデオテープである。
【００１３】
本実施例は、ビデオテープ９を陳列する為のものであって、天井１と床２との間に配設される枠体８を設け、この枠体８に棚体６を架設したものである。尚、本実施例は、ビデオテープ９を陳列する陳列装置ａとして構成したが、書籍や音楽ＣＤなどの陳列物を陳列する陳列装置にするなど、本実施例の特性を発揮する構成に適宜設計変更するものである。
【００１４】
具体的には、枠体８は、図１に図示したように左右一対の左支持体３及び右支持体４と、この左支持体３及び右支持体４の上下端部及び中央部間に架設される三本の補強体７とから成り、この左支持体３，右支持体４及び補強体７は夫々適宜な木製の角材で構成されている。
【００１５】
この左支持体３及び右支持体４は、その長さが天井１と床２との間の長さ（規格に合った長さ）と略同一に設定されており、上下に架設された補強体７を天井１及び床２にビス止めするなどして天井１及び床２間に設けられる。尚、左支持体３及び右支持体４は伸縮可能に設けても良い。
【００１６】
また、左支持体３及び右支持体４は、夫々その表面に取付体10，11が設けられている。
【００１７】
この取付体10，11は、適宜な金属製の部材を断面コ字状に形成した長尺体であり、その表面所定位置には左支持体３及び右支持体４夫々の表面にビス12で止着する為のネジ孔10ｂ，11ｂが形成されている。
【００１８】
また、取付体10，11は、その表面に上下方向所定長にして上下方向所定間隔で係止孔10ａ，11ａが複数並設されている。
【００１９】
この係止孔10ａ，11ａは、後述する載置体５に設けた鉤状片５ｂを係止するためのものである。
【００２０】
尚、取付体10，11を左支持体３及び右支持体４夫々の正面だけでなく背面に設けて正面部位及び背面部位に陳列部を有する陳列装置ａとする構成にしても良い。
【００２１】
載置体５は、図２〜５に図示したように適宜な金属製の部材を形成したものであり、その載置本体５ａの基端側に一対の鉤状片５ｂが上下位置に形成されており、この鉤状片５ｂ夫々は左支持体３及び右支持体４夫々に設けた上下の取付体10，11の係止孔10ａ，11ａに嵌挿させて下げることで係止し得るように設けられ、この鉤状片５ｂを係止孔10ａ，11ａに係止することで、載置本体５ａが水平方向に突出状態となるように構成されている。符号５ｃは載置本体５ａ上に載置した棚体６の先端に係止する係止突片である。
【００２２】
また、本実施例は、図２に図示したように最下段に配設する棚体６を載置する載置体５として、載置本体５ａが下り傾斜状態に設けられた載置体５を採用しており、棚体６を載置した際、棚体６の底面が該棚体６の後方側の斜め上方を向くように構成されている。これは、例えばビデオテープ９のタイトルを見易くするための構成である。尚、この載置本体５ａは傾斜角度を可変可能に構成されている。
【００２３】
棚体６は、図１〜５に図示したように適宜な木製の部材で構成され、底板６ａと該底板６ａの左右端部に連設される側板６ｂと、底板６ａの背面に連設される背面板６ｃとで構成されている。
【００２４】
また、底板６ａの上面にして先端側には長さ方向に凹溝６ａ’が形成されており、この凹溝６ａ’はビデオテープ９を傾斜状態に立て掛けた際、該ビデオテープ９の下部に係止するように構成されている。
【００２５】
以上の構成からなる本実施例に係る陳列装置ａを店舗内の空間Ｓに配設するに際し、天井１及び床２に枠体８を配置し、この枠体８の所望の左右位置に載置体５を係止し、この載置体５上に棚体６を配設することになる。
【００２６】
本実施例は、この陳列装置ａを複数並設して陳列装置列13を構成し、この陳列装置列13の前後に所定間隔をおいて他の陳列装置列13を配設することで空間Ｓ内に通路を形成することができ、更に、棚体６を配設しない箇所を設けて通路として機能させることもできる。
【００２７】
本実施例は上述のように構成したから、陳列装置ａを天井１と床２とを利用した構成とすることで、それだけ部品点数が必要最小限で済むことになり、よって、陳列装置ａの設置作業及び取り外し作業が極めて簡易且つ迅速に行えることになり（改装する際など非常に作業性に秀れる）、しかも、簡易構造故にコスト安にして量産性に秀れ、更に、天井１と床２とを利用する為、十分な強度が得られることになる。
【００２８】
また、本実施例は、陳列装置ａの正面と背面とを棚体６以外で仕切るものがないから、従来のような所謂本棚のような圧迫感はなく、明るく且つ開放感を有する空間Ｓを形成することができる。
【００２９】
また、本実施例は、左支持体３，右支持体４及び棚体６を木製とすることで、軽量故により一層陳列装置ａの設置作業及び取り外し作業が良好に行えることになり、しかも、コスト安にして量産性に秀れることになる。
【００３０】
尚、本発明は、本実施例に限られるものではなく、各構成要件の具体的構成は適宜設計し得るものである。
【図面の簡単な説明】
【図１】  本実施例を示す正面図である。
【図２】  本実施例を示す側面図である。
【図３】  本実施例に係る要部の分解斜視図である。
【図４】  本実施例に係る要部の斜視図である。
【図５】  本実施例に係る要部の側断面図である。
【図６】  本実施例の使用状態説明図である。
【符号の説明】
１  天井
２  床
３  左支持体
４  右支持体
５  載置体
６  棚体
６ａ  底板
６ａ’  凹溝
６ｃ 側板
６ｃ  背面板
７  補強体
８  枠体
９  陳列物
10  取付体
10ａ  係止孔
11  取付体
11ａ  係止孔
13  陳列装置列
【図１】
0003657199.tif 000002
【図２】
0003657199.tif 000003
【図３】
0003657199.tif 000004
【図４】
0003657199.tif 000005
【図５】
0003657199.tif 000006
【図６】
0003657199.tif 000007